(57)【要約】【課題】  建物基礎に変更を加えることなく、換言するとコストの増加を招くことなく、洗い場の有効面積を広げ、車椅子や介護者と一緒でも快適に入浴できる洗い場拡張型浴室を提供する。【解決手段】  入浴用品１を載置するためのカウンター２を、洗い場３に面する側壁４に、洗い場３側に突き出して設けている浴室であって、上記のカウンター２に対応する側壁４の位置を、外側に張り出して拡張空間部５に形成する。この拡張空間部５内に、上記のカウンター２を納めて設ける。【選択図】      図１
2007162346.tif 000002
【特許請求の範囲】
【請求項１】
入浴用品を載置するためのカウンターが、洗い場に面する側壁に、洗い場側に突き出されて設けられている浴室であって、上記のカウンターに対応する側壁の位置が外側に張り出されて拡張空間部に形成され、この拡張空間部内に上記のカウンターが納められて設けられていることを特徴とする洗い場拡張型浴室。
【請求項２】
請求項１記載の洗い場拡張型浴室であって、カウンターが、着脱、且つ高さ調節自在に形成されていることを特徴とする洗い場拡張型浴室。
【請求項３】
請求項１又は２記載の洗い場拡張型浴室であって、拡張空間部の上部に、鏡が浴室内に向かって上り傾斜状に設けられ、この鏡の傾斜角度が調節自在に形成されていることを特徴とする洗い場拡張型浴室。
【請求項４】
請求項１乃至３の何れかに記載の洗い場拡張型浴室であって、拡張空間部の床が、高さ調節自在の支持部材で支持されていることを特徴とする洗い場拡張型浴室。
【発明の詳細な説明】
【技術分野】
【０００１】
本発明は浴室に関し、更に詳しくは建築躯体を変更することなく、洗い場の床面積を広く確保できるよう形成した洗い場拡張型浴室に関するものである。
【背景技術】
【０００２】
従来、例えば浴室と脱衣室との間に、ニッチパネルを設置し、このニッチパネル内を収納スペースに形成した浴室や、側壁に設けた鏡の下方部を、斜め上向きに傾斜したことを特徴とする浴室は公知である（例えば特許文献１、２参照）。
そしてこれらの公知例に見られるように、従来、入浴用品を載せるためのカウンターは、通常、洗い場に面した側壁から洗い場側に突き出されて設けられている。
【０００３】
ところで近時の高齢化社会においては、車椅子で入浴したり、介護者と一緒に入浴するケースが増えている。従って浴室は、車椅子で入浴しても狭くならないよう、洗い場が広く形成されているのが望ましい。
しかるに従来の浴室は、上記の通り、洗面器等を載せるカウンターが、洗い場に面する側壁から洗い場側に突き出されて設けられている。従って従来の浴室は、カウンターが突き出されている分だけ（通常、３００ｍｍ程度）、洗い場の面積が狭くなるのを避けられず、その結果例えば車椅子で入浴するときなどに使い勝手が悪い、という問題点があった。
而してこの場合、浴室の建築躯体であるコンクリートの基礎や土台を壊したり、基礎を外側に拡げることによって洗い場を拡張するのでは、工事が大掛かりになり、コストが高く付くことになる。
【特許文献１】特開平１１−６２２８４号公報
【特許文献２】特開平７−７９８４６号公報
【発明の開示】
【発明が解決しようとする課題】
【０００４】
本発明は、このような従来の実情に鑑み、提案されたものである。
従って本発明の解決しようとする技術的課題は、建物基礎に変更を加えることなく、換言するとコストの増加を招くことなく、洗い場の有効面積を広げ、車椅子や介護者と一緒でも快適に入浴できるよう形成した洗い場拡張型浴室を提供することにある。
【課題を解決するための手段】
【０００５】
本発明は、上記の課題を解決するため、次のような技術的手段を採る。
即ち本発明は、図１等に示されるように、入浴用品１を載置するためのカウンター２が、洗い場３に面する側壁４に、洗い場３側に突き出されて設けられている浴室であって、上記のカウンター２に対応する側壁４の位置が外側に張り出されて拡張空間部５に形成され、この拡張空間部５内に上記のカウンター２が納められて設けられていることを特徴とする（請求項１）。
【０００６】
本発明の場合、拡張空間部５は、側壁４を形成する、例えば側壁パネル９自体を外側に凹ませて形成するのでも、或いはユニット化した別部材で形成するのでも良い。またここで、カウンター２が拡張空間部５内に納められて設けられている、とは、カウンター２によって洗い場空間を狭小化することがない状態を意味し、具体的には、カウンター２を、その前端２ａが洗い場３側に突き出ないよう設けることで実現される。ただこの場合本発明は、例えば中央部、端部等の一部のみが若干突き出ている、或いは全幅に亘って極小さな寸法で突き出ている場合等、洗い場３の使い勝手を害さない範囲で、カウンター２の前端２ａが洗い場３に僅かに突き出ている場合を除外するものではない。なお拡張空間部５の前面の横幅や高さは、適宜選定されるので良い。
【０００７】
また本発明の場合、カウンター２は、着脱、且つ高さ調節自在に形成されているのが好ましい（請求項２）。
なぜならこれによると、入浴の支障になるときはカウンター２を取り外したり、カウンター２の高さを調節することができ、使い勝手が一層良くなるからである。
【０００８】
また本発明は、拡張空間部５の上部に、鏡１１が浴室内に向かって上り傾斜状に設けられ、この鏡１１の傾斜角度が調節自在に形成されているのが好ましい（請求項３）。
なぜならこれによると、鏡１１を拡張空間部５に、高さを大きく占めることなく配置でき、また角度を変えることができ、顔や身体をうつし易くなるからである。
【０００９】
また本発明は、拡張空間部５の床６が、高さ調節自在の支持部材１９で支持されているのが好ましい（請求項４）。
なぜならこれによると、拡張空間部５の床６の耐荷重性が高まり、床６に車椅子や入浴者の体重が加わっても、安心して入浴できるからである。
【発明の効果】
【００１０】
本発明は、このようにカウンターに対応する側壁の位置を外側に張り出し、側壁に拡張空間部を形成し、この拡張空間部内にカウンターを納めて設けているものである。
従って本発明によれば、建築躯体を変更することなく、換言すると施工コストを増加することなく洗い場を拡張でき、親子や介護者と一緒に、また車椅子を使用したまま、快適に入浴できる。
【発明を実施するための最良の形態】
【００１１】
以下、本発明を実施するための最良の形態を説明する。
図１等において、１は、例えば洗面器や石鹸、シャンプー容器等の入浴用品である。また２は、この入浴用品１を載置するためのカウンターであり、３は洗い場である。
【００１２】
而して本発明の場合、上記のカウンター２に対応する側壁４の位置は、外側に張り出されて拡張空間部５に形成されている。この拡張空間部５は、この実施形態では洗い場３を形成する防水パンの壁載せ部３ａに屈曲状の前端部６ａが係合する床６と、この床６の両側及び後側の三方を囲む囲い壁７と、この囲い壁７の上部の天井８とを備え、例えば合成樹脂材で一体成形されている。側壁４は、このように形成された拡張空間部５が、側壁パネル９の下部に連結されることにより、形作られている。なお拡張空間部５の天井８は、浴室内に向かって上り傾斜状に形成されている。また拡張空間部５の横幅は、この実施形態では洗い場３の横方向の一辺の長さと同一に形成されている。
【００１３】
そして上記のカウンター２は、拡張空間部５内に納められ、前端２ａが拡張空間部５と洗い場３との境界線上に配置されて洗い場３側に突き出されている。１０は、カウンター２の取付部材である。この取付部材１０は、径の拡大した頭部１０ａと、径の縮小状の首部１０ｂとで鋲形に形成され、拡張空間部５の囲い壁７の奥の垂直壁７ａに、水平方向に一定の間隔をあけると共に、縦方向に列を同一にして等間隔をあけ、複数設けられている。カウンター２は、図３に示されるように、奥側の立ち下げ部２ｂの下端に、取付部材１０の首部１０ｂと嵌合する切り欠き２ｃが形成され、この切り欠き２ｃが首部１０ｂに嵌合することにより、側壁４に、着脱、且つ高さ調節自在に設けられている。またカウンター２は、この実施形態では、図２に示されるように、前端２ａを介して下回り部２ｄが後方に下り傾斜状に返され、この下回り部２ｄの後端が囲い壁７の垂直壁７ａに当接すると共に、この下回り部２ｄで下側の取付部材１０を覆うよう形成されている。
【００１４】
また本発明は、拡張空間部５の上部に、鏡１１が浴室内に向かって上り傾斜状に設けられている。この実施形態の場合、鏡１１は、拡張空間部５の傾斜状の天井８に沿って配置され、上部が左右方向に延びる軸１２で囲い壁７に枢着され、軸１２を中心に前後方向に回動可能に形成されている。１３は、囲い壁７の両側板７ｂに、対向状に形成されている係合孔である。この係合孔１３は、鏡１１の下端の回動軌跡線上に、軸１２から半径を同一にして窪み状に複数形成されている。１４は、係合孔１３に差し込まれるストッパー部材である。このストッパー部材１４は、鏡１１の下端のカバー１５の側部に、洗い場３側から見て横方向に出没動作自在に設けられている。なおこのストッパー部材１４は、この実施形態では鏡１１の前後の位置に夫々設けられ、前側又は後側のストッパー部材１４を係合孔１３に差し込むことにより、１個の係合孔１３を利用して、鏡１１の角度を二通りに変更可能に形成されている。
【００１５】
１６（図１、図２参照）は、カウンター２の上方に配置されている棚である。この棚１６は、上記のカウンター２と同様、立ち下げ部１６ａ（図２参照）の切り欠き１６ｂが棚取付部材１７の首部１７ａに嵌合されることにより、囲い壁７の奥の垂直壁７ａに着脱自在に設けられている。また拡張空間部５の前側上部には、蛍光灯等の照明器具１８が設けられている。１９（図２参照）は、アジャスターボルト等の高さ調節自在の支持部材である。この支持部材１９は、拡張空間部５の床６の下面と、土台２０との間に設けられ、拡張空間部５の床６は、この支持部材１９で支持されている。
【００１６】
次に本発明の使用例を説明する。
本発明は、カウンター２の切り欠き２ｃを取付部材１０の首部１０ｂに嵌め直すことにより、カウンター２を最適な位置に配置したり、或いはカウンター２を取り外して使用する。鏡１１の角度を調節するときは、先ずストッパー部材１４を係合孔１３から抜いて係合状態を解き、次に鏡１１を、軸１２を中心に前後方向に回動させ（図５参照）、ストッパー部材１４を係合孔１３に差し込み直す。これにより鏡１１の下端が係合孔１３の位置に係止し、任意の角度に鏡１１が配置される。
【００１７】
以上の処において、本発明は、例えば図６、図７に示されるように、洗い場３と、拡張空間部５の床６とが面一に形成され、洗い場３と拡張空間部５の境の床面に段差ができないよう形成されているのが好ましい。なぜならこれによると、両者の境の床面が平らになり、入浴者がこの箇所に爪先をぶつけたり、躓いたりすることを防止でき、また車椅子をカウンター２側に深く配置でき、使い勝手が一層良くなるからである。この実施形態では、洗い場３を形成する防水パンの側辺部３ｂが、凹溝状に形成されている。そしてこの側辺部３ｂに、拡張空間部５の床６の下方に屈曲した屈曲片６ｂが係合されると共に、側辺部３ｂの開口状の上面が、排水用の孔２１ａを多数有する蓋２１で、洗い場３と拡張空間部５の床６とが面一になるよう覆われているものである。
【図面の簡単な説明】
【００１８】
【図１】本発明の浴室の好適な一実施形態を示す要部斜視図である。
【図２】同上浴室の要部縦断面図である。
【図３】カウンターの取付構造を示す要部斜視図である。
【図４】鏡の取付構造を示す要部縦断面図である。
【図５】鏡の作用を説明するための要部縦断面図である。
【図６】本発明の他の実施形態を示す要部斜視図である。
【図７】図６のＶＩＩ−ＶＩＩ線における要部断面図である。
【符号の説明】
【００１９】
１      入浴用品
２      カウンター
３      洗い場
４      側壁
５      拡張空間部
【図１】
2007162346.tif 000003
【図２】
2007162346.tif 000004
【図３】
2007162346.tif 000005
【図４】
2007162346.tif 000006
【図５】
2007162346.tif 000007
【図６】
2007162346.tif 000008
【図７】
2007162346.tif 000009